(57)【要約】【課題】この発明の実施例では、性質が異なる歪に対する歪低減操作が相互に悪影響を与えないようにし、歪低減効果を向上する。【解決手段】本発明の実施例では複数の動画像符号化方式に対応しており、符号化動画像信号を復号化して復号化動画像信号を得るとともに、前記復号化動画像信号を復号化する際に得た前記復号化動画像信号のフィールドまたはフレームのピクチャタイプまたは量子化情報を符号化特徴情報として出力する復号化手段と、前記復号化動画像信号の画像の動きを示す動き検出出力を得る動き検出手段と、前記復号化動画像信号の符号化歪を低減する符号化歪低減特性を有した符号化歪低減手段と、前記符号化特徴情報及び前記動き検出出力に応じて、前記符号化歪低減手段の符号化歪低減特性を制御する符号化歪低減制御手段を基本とする。【選択図】図１
2010239438.tif 000002
【特許請求の範囲】
【請求項１】
符号化動画像信号を復号化して復号化動画像信号を得るとともに、前記復号化動画像信号を復号化する際に得た前記復号化動画像信号のフィールドまたはフレームのピクチャタイプまたは量子化情報を符号化特徴情報として出力する復号化手段と、
前記復号化動画像信号の画像の動きを示す動き検出出力を得る動き検出手段と、
前記復号化動画像信号の符号化歪を低減する符号化歪低減特性を有した符号化歪低減手段と、
前記符号化特徴情報及び前記動き検出出力に応じて、前記符号化歪低減手段の符号化歪低減特性を制御する符号化歪低減制御手段を具備する動画像符号化歪低減装置。
【請求項２】
前記復号化手段は、複数の動画像符号化方式に対応しており、前記復号化動画像信号の動画像符号化方式の種類を前記符号化特徴情報としてさらに出力し、
前記符号化歪低減制御手段は、前記動画像符号化方式の種類に応じて、前記符号化歪低減手段の符号化歪低減特性を制御することを特徴とする請求項１記載の動画像符号化歪低減装置。
【請求項３】
前記符号化歪低減手段は、リンギング歪を低減する機能を有するリンギング歪低減手段と、ブロック歪を低減する機能を有するブロック歪低減手段とを有することを特徴とする請求項1記載の動画像符号化歪低減装置。
【請求項４】
前記量子化情報は、マクロブロックの量子化スケールの前記復号化動画像信号のフィールドまたはフレームにおける平均値として用いられることを特徴とする請求項1記載の動画像符号化歪低減装置。
【請求項５】
前記量子化情報に対しは、前記ピクチャタイプによって重み付けを加えられていることを特徴とする請求項1記載の動画像符号化歪低減装置。
【請求項６】
量子化情報が、前記復号化動画像信号のフィールドまたはフレームの量子化ステップが大きいことを示すほど、前記符号化歪低減制御手段は、前記符号化歪低減手段の歪低減効果を強くするよう制御することを特徴とする請求項1記載の動画像符号化歪低減装置。
【請求項７】
前記動き検出手段が、画面を小領域に分割し、現フィールドと２フィールド前のフィールドの同位置の小領域の画像の動きまたは現フレームと１フレーム前のフレームの同位置の小領域の画像の動きを検出し、動いたと判定された小領域の数をもとに、フィールド間またはフレーム間の動きを判定することを特徴とする請求項1記載の動画像符号化歪低減装置。
【請求項８】
前記符号化特徴情報がＭＰＥＧ−４  ＡＶＣ方式であることを示した場合、前記符号化歪低減制御手段は前記ブロック歪低減手段の効果を弱めるもしくは効果をなくすことを特徴とする請求項３記載の動画像符号化歪低減装置。
【請求項９】
前記動き検出手段の出力が前記復号化動画像信号のフィールドまたはフレームのフィールド間またはフレーム間の動きが大きいことを示し、かつ、前記量子化情報が前記復号化動画像信号のフィールドまたはフレームの量子化ステップが大きいことを示すほど、前記符号化歪低減制御手段は前記ブロック歪低減手段の効果を強くし、
前記動き検出手段の出力が前記復号化動画像信号のフィールドまたはフレームのフィールド間またはフレーム間の動きが小さいことを示し、かつ、前記量子化情報が前記復号化動画像信号のフィールドまたはフレームの量子化ステップが大きいことを示すほど、前記符号化歪低減制御手段は前記リンギング歪低減手段の効果を強くすることを特徴とする請求項３記載の動画像符号化歪低減装置。動画像符号化歪低減装置。
【請求項１０】
前記リンギング歪低減手段が、画像の空間的変化がある任意の閾値より小さい領域で平滑化を行うことを特徴とする請求項３記載の動画像符号化歪低減装置。
【請求項１１】
前記ブロック歪低減手段が、前記復号化動画像信号に対し水平または垂直方向にバンドパスフィルタをかけるバンドパスフィルタ手段と、前記バンドパスフィルタ手段の出力に対し、ある任意の振幅に制限をかける振幅制限手段と、前記振幅制限手段の出力を前記バンドパスフィルタ手段の入力信号から減算する減算手段と有することを特徴とする請求項３記載の動画像符号化歪低減装置。
【請求項１２】
符号化動画像信号を復号化して復号化動画像信号を得るとともに、前記復号化動画像信号を復号化する際に得た前記復号化動画像信号のフィールドまたはフレームのピクチャタイプまたは量子化情報を符号化特徴情報として出力する復号化手段と、前記復号化動画像信号の画像の動きを示す動き検出出力を得る動き検出手段と、前記復号化動画像信号の符号化歪を低減する符号化歪低減特性を有した符号化歪低減手段と、前記符号化特徴情報及び前記動き検出出力に応じて、前記復号化動画像信号のリンギング歪を低減するリンギング歪低減手段と、このリンギング歪低減手段の出力が入力されブロック歪を低減するブロック歪低減手段を制御する動画像符号化歪低減方法であって、
前記動き検出手段からの検出信号が動き検出量の小さい方向へ変化し、かつ前記量子化情報が量子化ステップの大きい方へ変化するときは、前記リンギング歪低減手段のリンギング低減を強くするように制御し、
前記動き検出手段からの検出信号が動き検出量の大きい方へ変化し、かつ前記量子化情報が量子化ステップの大きい方へ変化するときは、前記ブロック歪低減手段のブロック低減を強くするように制御することを特徴とする、動画像符号化歪低減方法。
【発明の詳細な説明】
【技術分野】
【０００１】
本発明は画像符号化歪低減装置及び方法に関する。
【背景技術】
【０００２】
動画像の伝送、記録を行う場合、伝送効率、圧縮効率を高めるために動画像符号化が行われる。一方、符号化された動画像を受信する受信側、再生側では、動画像復号化処理が行われる。この場合、符号化歪を低減する歪低減処理が行われる。
【０００３】
例えば特許文献１の画像符号化歪低減装置では、量子化情報や符号量情報等を用い一定の計算式で求めた値（グローバルインジケータ値）に基づいて、符号化アーチファクト（リンギング歪低減処理とブロック歪低減処理）を制御している。リンギング歪低減処理とブロック歪低減処理がグローバルインジケータ値により一様に制御されている。
【０００４】
また符号化歪を低減する技術として特許文献２に記載された技術がある。この文献では符号化歪の出現状況に応じて、動き補償を用いた画像処理を行っている。
【先行技術文献】
【特許文献】
【０００５】
【特許文献１】特表２００７−５２５９０２号公報
【特許文献２】特開２００６−３２５１５５号公報
【発明の概要】
【発明が解決しようとする課題】
【０００６】
しかしながら、従来の動画像符号化に対する歪低減方法によると、画像がほとんど静止しており、動き補償により符号量が小さく抑えられ、ブロック歪が発生しにくいようなシーンにおいてリンギング歪が発生していても、十分にリンギング歪を低減することができないか、あるいは、不要なブロック歪低減処理が行われ、画質劣化を引き起こすことがあった。
【０００７】
また、歪低減処理は、常に一様に処理すると動画像符号化の実施状態により歪低減効果が異なる場合がある。
【０００８】
そこでこの発明は、リンギング歪とブロック歪のように性質が異なる歪に対する歪低減操作が相互に悪影響を与えないようにし、歪低減効果を向上する画像符号化歪低減装置及び方法を提供することを目的とする。また、動画像符号化の実施状態により歪低減操作を変更し、適切な歪低減を得る画像符号化歪低減装置及び方法を提供することを目的とする。
【課題を解決するための手段】
【０００９】
上記の課題を解決するために、本発明は複数の動画像符号化方式に対応しており、符号化動画像信号を復号化して復号化動画像信号を得る復号化手段と、前記符号化動画像信号に付加されている制御情報から前記符号化を行う際に採用された符号化実施情報を取得する符号化実施情報取得手段と、前記復号化動画像信号の画像の動きを示す動き検出出力を得る動き検出手段と、前記復号化動画像信号の複数種の符号化歪を低減する複数種の符号化歪低減特性を有した符号化歪低減手段と、符号化実施情報取得手段の符号化実施情報出力及び前記動き検出手段の動き検出出力に応じて、前記符号化歪低減手段の複数種の符号化歪低減特性を制御する符号化歪低減制御手段を基本とする。
【発明の効果】
【００１０】
本発明によれば、符号化方式、ピクチャタイプ、量子化情報などに応じて、適応的に歪低減効果特性を制御するので、発生要因が異なる歪に対して歪低減操作が相互に悪影響を与えず、良好な歪低減処理を実行することができる。
【図面の簡単な説明】
【００１１】
【図１】本発明の一実施の形態を示すブロック図である。
【図２】図１の第1の符号化歪低減手段１１の機能を説明するために示した画素配列例と、ブロック構成例を示す図である。
【図３】図１の第２の符号化歪低減手段１２のブロック構成例を示す図である。
【図４】図１の動き検出手段２３の構成例を示す図である。
【図５】図１の第1の符号化歪低減手段と、第２の符号化歪低減手段の動作特定例を示す説明図である。
【図６】本発明が適用されたテレビジョン受信装置の構成例を示す図である。
【発明を実施するための形態】
【００１２】
以下、本発明の実施の形態について、詳細に説明する。図１に本発明の動画像符号化歪低減装置の第１の実施例を示す。動画像符号化方式により符号化された符号化動画像信号は復号化手段１０により復号化されて復号化動画像信号として出力される。つまりこの復号化手段は、符号化動画像信号を復号化して復号化動画像信号を得るとともに、さらにまた復号化動画像信号を復号化する際に得た復号化動画像信号のフィールドまたはフレームのピクチャタイプまたは量子化情報を符号化特徴情報として出力する。
【００１３】
符号化実施情報取得手段２０は、復号化手段１０が出力した符号化特徴情報を取得する。符号化特徴情報は、その内容に応じて符号化方式出力手段２１、符号化情報出力手段２２に一旦分類取得される。符号化実施情報取得手段２０は、符号化方式出力手段２１、符号化情報出力手段２２を含む。
【００１４】
符号化方式出力手段２１は、復号化手段１０から、ＭＰＥＧ−２やＭＰＥＧ−４  ＡＶＣなどの符号化動画像信号の符号化方式の種類を取得し、符号化歪低減制御手段２５に出力する。また、符号化情報出力手段２２は、復号化手段１０から、復号化動画像のフィールドまたはフレームごとに、そのフィールドまたはフレームのピクチャタイプや量子化情報（例えばマクロブロックの量子化スケールのフィールドまたはフレーム平均値）を取得し、符号化歪低減制御手段２５に出力する。
【００１５】
また、動き検出手段２３は、復号化手段１０から出力された復号化動画像信号のフィールドまたはフレームごとに、フィールド間またはフレーム間の動きを検出し、符号化歪低減制御手段２５に出力する。
【００１６】
復号化手段１０から出力された復号化動画像信号は、第1の符号化歪低減手段１１に入力され、この第１の符号化歪低減手段１１で歪低減された復号化動画像信号は、第２の符号化歪低減手段１２に入力される。
【００１７】
第１の符号化歪低減手段１１は、例えば、図２（B)に示すようなリンギング歪低減手段を用いる。また、第２の符号化歪低減手段１２は、例えば、図３に示すようなブロック歪低減手段を用いる。
【００１８】
ここで、図２（A),図２（B)を用いて本発明に係わるリンギング歪低減手段の第１の実施例を説明する。この実施例では、画像の空間的変化が平坦部判定閾値より小さい領域の中で平滑化を行うエッジ保存型の平滑化手段を示している。つまり平滑化手段は信号の振幅の小さい領域で平滑化を行う。今、図２(A)のような縦３画素、横３画素の合計９画素の領域における中心画素 Px,yの平滑化を行う。
【００１９】
図２(B)に第１の符号化歪低減手段１１（リンギング歪低減手段）の構成を示す。入力復号化動画像信号は、１ライン遅延手段１１１に入力され、この1ライン遅延手段１１１の出力は、次の1ライン遅延手段１１２に入力される。また入力復号化動画信号は、１画素遅延手段１１７に入力され、1ライン遅延手段１１１の出力は１画素遅延手段１１５に入力され、次の1ライン遅延手段１１２の出力は１画素遅延手段１１３に入力されている。
【００２０】
１画素遅延手段１１３の出力信号は、1画素遅延手段１１４に入力される。そして、１画素遅延手段１１３の入力信号及び出力信号、1画素遅延手段１１４の出力信号は、平坦部平滑手段１１９に入力されている。また１画素遅延手段１１５の出力信号は、1画素遅延手段１１６に入力される。そして、１画素遅延手段１１５の入力信号及び出力信号、1画素遅延手段１１６の出力信号は、平坦部平滑手段１１９に入力されている。さらに１画素遅延手段１１７の出力信号は、1画素遅延手段１１８に入力される。そして、１画素遅延手段１１７の入力信号及び出力信号、1画素遅延手段１１８の出力信号は、平坦部平滑手段１１９に入力されている。
【００２１】
上記の構成により図２(A)のような縦３画素、横３画素の合計９画素の領域が平坦部平滑化手段１１９に同時入力され、例えば中心となる画素Px,yの平滑化を行う。つまり中心画素 Px,yと周辺画素 Px-1,y-1 , Px-1,y , Px-1,y+1 , Px,y-1 , Px,y+1 , Px+1,y-1 , Px+1,y , Px+1,y+1 の信号レベルの差をそれぞれ求め、この差が平坦部判定閾値より小さい周辺画素のみを用いて平滑化を行う。平滑化は、例えば平滑化対象となった周辺画素の平均値を用いて行う。平坦部判定閾値は、後述する制御特性に基づいて、前記符号化歪低減制御手段２５から与えられる。
【００２２】
平坦部判定閾値を大きくすると、リンギング歪低減効果が大きくなる一方、復号化動画像信号にぼやけが生じてくる。
【００２３】
次に図３を用いて本発明に係る第２の符号化歪低減手段１２（ブロック歪低減手段）の第１の実施例を説明する。この実施例では、垂直方向振幅制限値以下の垂直方向の空間的高周波成分を減算することによりブロック歪の垂直方向の段差を平滑化し、次に、水平方向振幅制限値以下の水平方向の空間的高周波成分を減算することによりブロック歪の水平方向の段差を平滑化するブロック歪低減手段を示している。垂直方向振幅制限値及び水平方向振幅制限値を大きくすると、ブロック歪低減効果が大きくなる一方、復号化動画像信号にぼやけが生じてくる。
【００２４】
具体的構成は、第1の符号化歪低減手段１１からの出力が、1ライン遅延手段２２１に入力される。また1ライン遅延手段２２１の出力は、次の1ライン遅延手段２２２に入力されている。1ライン遅延手段２２１の入力信号と出力信号、及び1ライン遅延手段２２２の出力信号は垂直帯域フィルタ２２３に入力されている。垂直帯域フィルタ２２３の出力信号は、振幅制限手段２２４に入力され、ここで振幅制限された信号は、減算手段２２５に入力される。減算手段２２５は、1ライン遅延手段２２１の出力信号から、振幅制限手段２２４からの出力信号を減算して出力する。
【００２５】
減算手段の出力は、1画素遅延手段２２６に入力される。1画素遅延手段２２６の出力信号は、1画素遅延手段２２７に入力されている。1画素遅延手段２２６の入力信号と出力信号、及び1画素遅延手段２２７の出力信号は、水平帯域フィルタ２２８に入力され帯域制限される。水平帯域フィルタ２２８の出力信号は、振幅制御手段２２９に入力され、ここで振幅制限された信号は、減算手段２３０に入力される。減算手段２３０は、1画素遅延手段２２６の出力信号から、振幅制限手段２３０からの出力信号を減算して出力する。
【００２６】
上記の回路において、垂直方向振幅制限値及び水平方向振幅制限値を大きくすると、ブロック歪低減効果が大きくなる一方、復号化動画像信号にぼやけが生じてくる。
【００２７】
次に図４に本発明に係る動き検出手段２３の第１の実施例を示す。復号化動画像信号は、1フレームまたは2フィールド遅延手段３０１に入力されると共に、フレーム間差分絶対値回路３０２に入力される。フレーム間差分絶対値回路３０２は、遅延手段３０１からの復号化動画像信号と、先の直接入力した復号化動画像信号の差分の絶対値を得る。絶対値出力は、フレーム間比較器３０３に入力され、フレーム間比較レベルと比較される。
【００２８】
フレーム間比較器３０３は、比較レベルより大きい値がある場合、その判定結果を累積加算器３０４に入力する。累積加算器３０４は、累積結果に対応するフレーム動き検出信号を出力する。
【００２９】
具体的に動作を説明する。今、復号化動画像信号がインターレース信号の場合は、１フレームまたは２フィールド遅延手段３０１で２フィールド遅延させ、復号化動画像信号がプログレッシブ信号の場合は、１フレームまたは２フィールド遅延手段３０１で１フレーム遅延させる。この遅延信号と、復号化動画像信号との間で動きが検出される。まず、フレーム間差分絶対値回路３０２にて、フィールド間またはフレーム間の２画素の差分絶対値を求め、これがフレーム間比較レベルより大きい場合には動画素を示すフラグが出力され、フレーム間比較レベル以下の場合には静画素を示すフラグが出力される。動画素を示した画素数が累積加算器３０４にて、１フィールド分または１フレーム分累積加算される。この累積加算値が動き検出信号として出力され、値が大きいほど動き量が大きいことを示す。
【００３０】
動き検出手段２３は、フィルム映像がビデオ映像信号に変換されているような２−３プルダウン信号の場合でも誤動作をしないように、工夫されてもよい。このような変換映像信号の場合は例えばフレーム間差分を得るためのフレーム間隔を選択或いは切り替えできるようにしてもよい。
【００３１】
図１に戻り説明する。符号化歪低減制御手段２５は、符号化特徴情報及び動き検出出力に応じて、前記符号化歪低減手段１１，１２の符号化歪低減特性を制御する。つまり、符号化歪低減制御手段２５は、符号化方式出力手段２１の出力及び符号化情報出力手段２２の出力及び動き検出手段２３の出力を用いて、前述のリンギング歪低減手段（図２（B)）の平坦部判定閾値や、前述のブロック歪低減手段（図３）の垂直方向振幅制限値及び水平方向振幅制限値を制御する。
【００３２】
符号化歪低減制御手段２５は、例えば、図５に示すような制御を行う。図５を用いて本発明に係る符号化歪低減制御手段２５による制御の第１の実施例を説明する。
【００３３】
図５(A)はリンギング歪低減手段（図２（B)）の制御特性の例を、図５(B)はブロック歪低減手段（図３）の制御特性の例をそれぞれ示している。
【００３４】
量子化ステップが大きくなると、符号化歪は発生しやすいが、特に動きが大きいときにブロック歪が発生しやすいため、図５(B)に示すように、量子化ステップが大きく、動き量が大きいときにブロック歪低減効果を大きくする。図３の垂直方向振幅制限値及び水平方向振幅制限値を大きくすると、ブロック歪低減効果が大きくなる。
【００３５】
一方、リンギング歪は、静止シーンにおいても、量子化ステップが大きくなると発生しやすいため、図５(A)に示すように、量子化ステップが大きく、ブロック歪低減手段の効果が小さくなる動き量が小さいときほど、リンギング歪低減効果を大きくする。図２（B)の平坦部判定閾値を大きくすると、リンギング歪低減効果が大きくなる。
【００３６】
このようにすることで、ブロック歪とリンギング歪をそれぞれ好適に低減するとともに、不要に画像をぼかし過ぎることを避けることができる。
【００３７】
すなわち、符号化方式、ピクチャタイプ、量子化情報などに応じて、適応的に歪低減効果特性を制御し、発生要因が異なる歪に対して歪低減操作が相互に悪影響を与えず、良好な歪低減処理を実行する。
【００３８】
従来の動画像符号化歪低減装置では、量子化情報や符号量情報等により、リンギング歪低減処理とブロック歪低減処理を同様に制御していたため、ほとんど静止しており、動き補償により符号量が小さく抑えられ、ブロック歪が発生しにくいようなシーンにおいてリンギング歪が発生していても、十分にリンギング歪を低減することができないか、あるいは、不要なブロック歪低減処理が行われ、画質劣化を引き起こすことがあった。
【００３９】
本発明によれば、上記のようなシーンにおいても好適にリンギング歪を低減することができるほか、不要なブロック歪低減処理を行うことを避けることができる。
【００４０】
上記した図５(A)、図５(B)に示した動作特性を得る要素及び制御形態は以下のように各種の要素及び形態を用いることができる。
【００４１】
符号化情報出力手段２２からの量子化情報を利用する。この場合、図５(A)、図５(B)の量子化情報としては、マクロブロックの量子化スケールの復号化動画像信号のフィールドまたはフレームにおける平均値を利用する。この場合、画像フレームの全体に平均的なブロック歪低減が実行される。平均値は、量子化スケール平均値手段２５aにより実施される。
【００４２】
符号化情報出力手段２２からの量子化情報を利用する。この場合符号化情報出力手段２２から得られるI,P,B等のピクチャタイプによって重み付けを加えるようにしてもよい。これはピクチャタイプにより、量子化ステップが異なるし、また符号化歪への影響度が異なるので、一様な重み付けよりも、重み付けを代え、図５(A)、図５(B)の動作特性の感度を変えるほうが、より適切な歪低減処理を実行できるからである。重み付けは、重み付け手段２５ｂにより実施される。
【００４３】
また実施例では、量子化情報が復号化動画像信号のフィールドまたはフレームの量子化ステップが大きいことを示すほど、符号化歪低減制御手段２５が符号化歪低減手段１１，１２の歪低減効果を強くするよう制御している。この制御は、歪低減効果強化手段２５ｃが中心となって、図５(a)、図５(ｂ)の特性に基づき実行される。
【００４４】
また実施例では、符号化方式出力手段２１の出力がＭＰＥＧ−４  ＡＶＣ方式であることを示した場合、前記ブロック歪低減手段の効果を弱めるもしくは効果をなくすようにしている。これは、ＭＰＥＧ−４  ＡＶＣ方式の場合、復号化手段10内の対応する復号化部には、もともとブロック歪低減回路が備わっているからである。
【００４５】
また実施例ではリンギング歪低減手段は、画像の空間的変化がある任意の閾値より小さい領域の中で平滑化を行っている。リンギングの生じる程度を考慮したからである。
【００４６】
さらにまた動き検出手段２３は、実施例では、画面を小領域に分割し、現フィールドと２フィールド前のフィールドの同位置の小領域の画像の動きまたは現フレームと１フレーム前のフレームの同位置の小領域の画像の動きを検出し、動いたと判定された小領域の数をもとに、フィールド間またはフレーム間の動きを判定している。これによりノイズが多い信号や画面の一部分が動いている場合にも正確に動きを検出することができる。
【００４７】
またこの発明は上記の実施例に限定されるものではない。図５(A)、図５（B)に示した特性は、利用者により調整できるように構成されていてもよい。この場合は、例えば外部からの調整により、例えば図５（A)に示す特性が、矢印A1或いはA2方向へシフトできるように構成してもよい。また図５（B)に示す特性が、矢印B1或いはB2方向へシフトできるように構成してもよい。この調整により、歪低減動作の感度を変化させることができる。
【００４８】
またこの発明は、上記の実施の形態に限定されるものではなく、各種の変形が可能である。図６には、この発明がテレビジョン受信装置に適用された例を示している。
【００４９】
図６は、本発明の装置が組み込まれたテレビジョン放送受信装置の信号処理系を概略的に示している。図１で説明した動画像符号化歪低減装置は、信号処理部７３４内に設けられている。デジタルテレビジョン放送受信用のアンテナ７２２で受信したデジタルテレビジョン放送信号は、入力端子２３を介してチューナ７２４に供給される。このチューナ７２４は、入力されたデジタルテレビジョン放送信号から所望のチャンネルの信号を選局し復調している。
【００５０】
またチューナ７２４の出力は、デコーダ７２５でデコードされるとともに、直接セレクタ７２６にも供給されている。この信号から映像・音声情報などが分離され、この映像・音声情報が制御部７３５を介してＨＤＤユニット（図示せず）にて記録されることも可能である。
【００５１】
さらに、アナログテレビジョン放送受信用のアンテナ７２７で受信したアナログテレビジョン放送信号は、入力端子７２８を介してチューナ７２９に供給される。このチューナ７２９は、入力されたアナログテレビジョン放送信号から所望のチャンネルの信号を選局し復調している。そして、このチューナ７２９から出力された信号は、Ａ／Ｄ（analog／digital）変換部７３０によりデジタル化された後、セレクタ７２６に出力される。
【００５２】
また、アナログ信号用の入力端子７３１に供給されたアナログの映像及び音声信号は、Ａ／Ｄ変換部７３２に供給されてデジタル化された後、上記セレクタ７２６に出力される。さらに、デジタル信号用の入力端子７３３に供給されたデジタルの映像及び音声信号は、そのまま上記セレクタ７２６に供給される。
【００５３】
上記セレクタ７２６は、４種類の入力デジタル映像及び音声信号から１つを選択して、信号処理部７３４に供給している。この信号処理部７３４は、入力されたデジタル映像信号に所定の信号処理を施して上記映像表示器７１４での映像表示に供させている。この映像表示部７１４としては、例えば、液晶ディスプレイやプラズマディスプレイ等でなるフラットパネルディスプレイが採用される。また、上記信号処理部７３４は、入力されたデジタル音声信号に所定の信号処理を施し、アナログ化して上記スピーカ７１５に出力することにより、音声再生を行なっている。
【００５４】
ここで、このテレビジョン放送受信装置は、上記した各種の受信動作を含む種々の動作を制御部７３５によって統括的に制御されている。この制御部７３５は、ＣＰＵ（central processing unit）等を内蔵したマイクロプロセッサであり、上記操作部７１６からの操作情報、またはリモートコントローラ７１７から送信された操作情報を受光部７１８を介して受けることにより、その操作内容が反映されるように各部をそれぞれ制御している。
【００５５】
この場合、制御部７３５は、メモリ７３６を使用している。このメモリ７３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００５６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【産業上の利用可能性】
【００５７】
この発明は、画像信号を処理する各種の分野で利用することができ、セットトップボックス、記録再生装置、画像処理部を備えたコンピュータ、サーバー、テレビジョン受信装置などに適用できる。
【符号の説明】
【００５８】
１０・・・符号化手段、１１・・・第１の符号化歪低減手段、１２・・・第２の符号化歪低減手段、２０・・・符号化実施情報取得手段、２１・・・符号化方式出力手段、２２・・・符号化情報出力手段、２３・・・動き検出手段、２５・・・符号化歪低減制御手段、２５a・・・量子化スケール平均値計算手段、２５ｂ・・・重み付け手段、２５ｃ・・・歪低減効果強化手段、２５ｄ・・・歪低減効果弱化手段。
【図１】
2010239438.tif 000003
【図２】
2010239438.tif 000004
【図３】
2010239438.tif 000005
【図４】
2010239438.tif 000006
【図５】
2010239438.tif 000007
【図６】
2010239438.tif 000008
【手続補正書】
【提出日】平成22年7月9日(2010.7.9)
【手続補正２】
【補正対象書類名】明細書
【補正対象項目名】０００９
【補正方法】変更
【補正の内容】
【０００９】
上記の課題を解決するために、符号化動画像信号を復号化して復号化動画像信号を得るとともに、前記復号化動画像信号を復号化する際に得た前記復号化動画像信号のフィールドまたはフレームの量子化情報を符号化特徴情報として出力する復号化手段と、前記復号化動画像信号の画像の動きを示す動き検出出力を得る動き検出手段と、前記復号化動画像信号が入力され、リンギング歪を低減する機能を有するリンギング歪低減手段とブロック歪を低減する機能を有するブロック歪低減手段とを含む符号化歪低減手段と、前記動き検出手段の出力が前記復号化動画像信号のフィールドまたはフレームのフィールド間またはフレーム間の動きが大きいことを示し、かつ、前記量子化情報が前記復号化動画像信号のフィールドまたはフレームの量子化ステップが大きいことを示すほど、前記ブロック歪低減手段の低減効果を強くし、前記動き検出手段の出力が前記復号化動画像信号のフィールドまたはフレームのフィールド間またはフレーム間の動きが小さいことを示し、かつ、前記量子化情報が前記復号化動画像信号のフィールドまたはフレームの量子化ステップが大きいことを示すほど、前記リンギング歪低減手段の低減効果を強くする符号化歪低減制御手段を具備する。
【手続補正３】
【補正対象書類名】明細書
【補正対象項目名】００４２
【補正方法】変更
【補正の内容】
【００４２】
符号化情報出力手段２２からの量子化情報を利用する。この場合符号化情報出力手段２２から得られるI,P,B等のピクチャタイプによって重み付けを加えるようにしてもよい。これはピクチャタイプにより、量子化ステップが異なるし、また符号化歪への影響度が異なるので、一様な重み付けよりも、重み付けを変え、図５(A)、図５(B)の動作特性の感度を変えるほうが、より適切な歪低減処理を実行できるからである。重み付けは、重み付け手段２５ｂにより実施される。
【手続補正４】
【補正対象書類名】特許請求の範囲
【補正対象項目名】全文
【補正方法】変更
【補正の内容】
【特許請求の範囲】
【請求項１】
符号化動画像信号を復号化して復号化動画像信号を得るとともに、前記復号化動画像信号を復号化する際に得た前記復号化動画像信号のフィールドまたはフレームの量子化情報を符号化特徴情報として出力する復号化手段と、
前記復号化動画像信号の画像の動きを示す動き検出出力を得る動き検出手段と、
前記復号化動画像信号が入力され、リンギング歪を低減する機能を有するリンギング歪低減手段とブロック歪を低減する機能を有するブロック歪低減手段とを含む符号化歪低減手段と、
前記動き検出手段の出力が前記復号化動画像信号のフィールドまたはフレームのフィールド間またはフレーム間の動きが大きいことを示し、かつ、前記量子化情報が前記復号化動画像信号のフィールドまたはフレームの量子化ステップが大きいことを示すほど、前記ブロック歪低減手段の低減効果を強くし、前記動き検出手段の出力が前記復号化動画像信号のフィールドまたはフレームのフィールド間またはフレーム間の動きが小さいことを示し、かつ、前記量子化情報が前記復号化動画像信号のフィールドまたはフレームの量子化ステップが大きいことを示すほど、前記リンギング歪低減手段の低減効果を強くする符号化歪低減制御手段を具備する動画像符号化歪低減装置。
【請求項２】
前記復号化手段は、複数の動画像符号化方式に対応しており、前記復号化動画像信号の動画像符号化方式の種類を前記符号化特徴情報としてさらに出力し、
前記符号化歪低減制御手段は、前記動画像符号化方式の種類がＭＥＧ−４  ＡＶＣのときは、前記符号化歪低減手段のブロック化歪低減効果を弱める制御をすることを特徴とする請求項１記載の動画像符号化歪低減装置。
【請求項３】
前記量子化情報は、マクロブロックの量子化スケールの前記復号化動画像信号のフィールドまたはフレームにおける平均値として用いられることを特徴とする請求項1記載の動画像符号化歪低減装置。
【請求項４】
前記量子化情報に対しては、ピクチャタイプによって重み付けが変えられることを特徴とする請求項1記載の動画像符号化歪低減装置。
【請求項５】
前記動き検出手段が、画面を小領域に分割し、現フィールドと２フィールド前のフィールドの同位置の小領域の画像の動きまたは現フレームと１フレーム前のフレームの同位置の小領域の画像の動きを検出し、動いたと判定された小領域の数をもとに、フィールド間またはフレーム間の動きを判定することを特徴とする請求項1記載の動画像符号化歪低減装置。
【請求項６】
前記符号化特徴情報がＭＰＥＧ−４  ＡＶＣ方式であることを示した場合、前記符号化歪低減制御手段は前記ブロック歪低減手段の効果を弱めるもしくは効果をなくすことを特徴とする請求項１記載の動画像符号化歪低減装置。
【請求項７】
前記リンギング歪低減手段が、画像の空間的変化がある任意の閾値より小さい領域で平滑化を行うことを特徴とする請求項１記載の動画像符号化歪低減装置。
【請求項８】
前記ブロック歪低減手段が、前記復号化動画像信号に対し水平または垂直方向にバンドパスフィルタをかけるバンドパスフィルタ手段と、前記バンドパスフィルタ手段の出力に対し、ある任意の振幅に制限をかける振幅制限手段と、前記振幅制限手段の出力を前記バンドパスフィルタ手段の入力信号から減算する減算手段と有することを特徴とする請求項１記載の動画像符号化歪低減装置。
【請求項９】
請求項１記載の動画像符号化歪低減装置を信号処理部に含み、歪低減された前記復号化動画信号が表示器に供給される表示装置。
【請求項１０】
前記動画像符号化歪低減装置を含む信号処理部には、チューナの出力をデコードした映像情報が入力する請求項９記載の表示装置。
【請求項１１】
符号化動画像信号を復号化して復号化動画像信号を得るとともに、前記復号化動画像信号を復号化する際に得た前記復号化動画像信号のフィールドまたはフレームの量子化情報を符号化特徴情報として出力する復号化手段と、前記復号化動画像信号の画像の動きを示す動き検出出力を得る動き検出手段と、前記復号化動画像信号が入力され、リンギング歪を低減する機能を有するリンギング歪低減手段とブロック歪を低減する機能を有するブロック歪低減手段とを含む符号化歪低減手段と、有し、前記復号化動画像信号の歪を低減する動画像符号化歪低減方法であって、
前記動き検出手段の出力が前記復号化動画像信号のフィールドまたはフレームのフィールド間またはフレーム間の動きが大きいことを示し、かつ、前記量子化情報が前記復号化動画像信号のフィールドまたはフレームの量子化ステップが大きいことを示すほど、前記ブロック歪低減手段の低減効果を強くし、前記動き検出手段の出力が前記復号化動画像信号のフィールドまたはフレームのフィールド間またはフレーム間の動きが小さいことを示し、かつ、前記量子化情報が前記復号化動画像信号のフィールドまたはフレームの量子化ステップが大きいことを示すほど、前記リンギング歪低減手段の低減効果を強くする制御を行う動画像符号化歪低減方法。